(57)【要約】【課題】極めて簡易的に、且つ、極めてしっかりと装着することができ、しかも、装着時における型くずれが生じにくい構造でなる簡易帯を提供すること。【解決手段】和装用の簡易帯１であって、互いに別体として形成される胴帯２と、該胴帯に対して連結手段４を介して連結される飾り帯３とからなり、胴帯は、飾り帯の連結部５から一方向に向けてのびる胴帯本体６と、他方向に向けてのびる内巻付け帯７とを含み、胴帯本体の裏面側に、第１の止着手段と、内巻付け帯を挿通する環体部材とを設け、内巻付け帯の裏面側に、第１の止着手段８Ａおよび第２の止着手段８Ｂ−１、８Ｂ−２を設けてなり、内巻付け帯を環体部材に挿通してリターンし、内巻付け帯に設けた第１の止着手段と第２の止着手段とにより止着し、胴帯本体を前記内巻付け帯の外側に巻き付けて、胴帯本体に設けた第１の止着手段と前記内巻付け帯に設けた第２の止着手段とにより止着してなることを特徴とする簡易帯。【選択図】図１
0003129691.tif 000002
【実用新案登録請求の範囲】
【請求項１】
和装用の簡易帯であって、互いに別体として形成される胴帯と、該胴帯に対して連結手段を介して連結される飾り帯とからなり、
前記胴帯は、前記飾り帯の連結部から一方向に向けてのびる胴帯本体と、他方向に向けてのびる内巻付け帯とを含み、前記胴帯本体の裏面側に、第１の止着手段と、前記内巻付け帯を挿通する環体部材とを設け、前記内巻付け帯の裏面側に、第１および第２の止着手段を設けてなり、前記内巻付け帯を前記環体部材に挿通してリターンし、前記内巻付け帯に設けた第１の止着手段と第２の止着手段とにより止着し、前記胴帯本体を前記内巻付け帯の外側に巻き付けて、前記胴帯本体に設けた第１の止着手段と前記内巻付け帯に設けた第２の止着手段とにより止着してなることを特徴とする簡易帯。
【請求項２】
前記第１の止着手段が、面状のベルベット式ファスナーの一方であり、前記第２の止着手段が、面状のベルベット式ファスナーの他方であることを特徴とする請求項１に記載の簡易帯。
【請求項３】
前記連結手段が、塑性変形する剛直なプレート部材を内装する飾り帯止部材からなることを特徴とする請求項１あるいは請求項２に記載の簡易帯。
【考案の詳細な説明】
【技術分野】
【０００１】
この考案は、きものと共に着用される和装用帯びの構造に関するものであり、特に、極めて簡易的に、且つ、極めてしっかりと装着することができ、しかも、装着時における型くずれを確実に防止することができる簡易帯に関するものである。
【背景技術】
【０００２】
周知のように、通常、きものの装いでは、きもの自体と帯とは、同格程度、あるいはそれ以上のものとして認識されており、きもの着用時における帯は極めて重要な要素のものである。しかしながら、このように極めて重要な要素を占める和装用帯については、装着時における帯の着付け作業が極めて煩雑であり、且つ、着用時に往々にして型くずれしてしまうという多くの問題点を有しており、延いては、きものの着用が敬遠される要因とされている。
【考案の開示】
【考案が解決しようとする課題】
【０００３】
そこで、この考案は、上記する従来の多くの問題点を解消するに適した和装用帯であって、特に、極めて簡易的に、且つ、極めてしっかりと装着することができ、しかも、装着時における型くずれが生じにくい構造でなる簡易帯を提供することにある。
【課題を解決するための手段】
【０００４】
この考案は、上記する目的を達成するにあたって、請求項１に記載の考案は、和装用の簡易帯であって、互いに別体として形成される胴帯と、該胴帯に対して連結手段を介して連結される飾り帯とからなり、
前記胴帯は、前記飾り帯の連結部から一方向に向けてのびる胴帯本体と、他方向に向けてのびる内巻付け帯とを含み、前記胴帯本体の裏面側に、第１の止着手段と、前記内巻付け帯を挿通する環体部材とを設け、前記内巻付け帯の裏面側に、第１および第２の止着手段を設けてなり、前記内巻付け帯を前記環体部材に挿通してリターンし、前記内巻付け帯に設けた第１の止着手段と第２の止着手段とにより止着し、前記胴帯本体を前記内巻付け帯の外側に巻き付けて、前記胴帯本体に設けた第１の止着手段と前記内巻付け帯に設けた第２の止着手段とにより止着してなることを特徴とする簡易帯を構成するものである。
【０００５】
さらに、この考案において請求項２に記載の考案は、請求項１に記載の簡易帯であって、前記第１の止着手段が、面状のベルベット式ファスナーの一方であり、前記第２の止着手段が、面状のベルベット式ファスナーの他方であることを特徴とするものである。
【０００６】
さらにまた、この考案において請求項３に記載の考案は、請求項１あるいは請求項２に記載の簡易帯であって、前記連結手段が、塑性変形する剛直なプレート部材を内装する飾り帯止部材からなることを特徴とするものでもある。
【考案の効果】
【０００７】
この考案になる簡易帯は、互いに別体として形成される胴帯と、該胴帯に対して連結手段を介して連結される飾り帯とからなり、胴帯は、前記飾り帯の連結部から一方向に向けてのびる胴帯本体と、他方向に向けてのびる内巻付け帯とを含み、前記胴帯本体の裏面側に、第１の止着手段と、前記内巻付け帯を挿通する環体部材とを設け、前記内巻付け帯の裏面側に、第１および第２の止着手段を設けてなり、前記内巻付け帯を前記環体部材を挿通してリターンし、前記内巻付け帯に設けた第１の止着手段と第２の止着手段とにより止着し、前記胴帯本体を前記内巻付け帯の外側に巻き付けて、前記胴帯本体に設けた第１の止着手段と前記内巻付け帯に設けた第２の止着手段とにより止着してなるものであり、極めて簡易的に装着することができ、且つ、極めてしっかりと装着することができるという点において極めて有効に作用するものといえる。
【０００８】
さらに、この考案になる簡易帯は、胴帯本体に対して飾り帯を連結するための連結手段が、塑性変形する剛直なプレート部材を内装する飾り帯止部材によって構成したことにより、極めてしっかりと装着することができるとともに、装着時における型くずれを確実に防止することができるという点においても極めて有効に作用するものといえる。
【考案を実施するための最良の形態】
【０００９】
以下、この考案になる簡易帯について、図面に示す具体的な実施例に基づいて詳細に説明する。図１は、この考案になる簡易帯を示すものであり、図１Ａは、これを帯の表側から見た概略的な表面図であり、図１Ｂは、連結部の概略的な横断面図である。図２は、当該簡易帯をその裏側から見た概略的な表面図である。図３Ａ、図３Ｂおよび図３Ｃは、当該簡易帯の装着の手順を示す概略的な斜視図である。
【００１０】
この考案になる簡易帯１は、互いに別体として形成される胴帯２と、この胴帯２に対して連結手段４を介して連結される飾り帯３とを主要な構成部材として構成されるものである。前記胴帯２は、前記連結手段４により、当該胴帯２に対する前記飾り帯３の連結部分５から一方向に向けてのびる胴帯本体６と、他方向に向けてのびる内巻付け帯７とを含むものからなっている。
【００１１】
前記胴帯２における胴帯本体６は、目的とする帯の幅寸法ｗ１を有するものからなっており、前記内巻付け帯７は、前記胴帯本体６の幅寸法ｗ１よりも狭い幅寸法ｗ２からなっている。図に示す実施例において、前記内巻付け帯７は、前記胴帯２における胴帯本体６に対して、その裏面側に積層状に一体的に縫着されており、前記胴帯本体６の一端側６ａから外方向に向けて延出するものからなっている。
【００１２】
前記胴帯２に関しては、当該簡易帯１を着用者の腰部に巻き付けて止着するための止着手段８が設けてある。具体的には、前記止着手段８は、前記胴帯本体６の裏面側に設けた第１の止着手段８Ａと、前記内巻付け帯７の裏面側に設けた第１の止着手段８Ａおよび前記第１の止着手段８Ａの長さ方向両端に設けた二つの第２の止着手段８Ｂ−１および８Ｂ−２とによって構成されている。前記第１の止着手段８Ａは、面状のベルベット式ファスナーの一方により構成されており、前記第２の止着手段８Ｂは、面状のベルベット式ファスナーの他方により構成されていて、前記第１の止着手段８Ａと第２の止着手段８Ｂとが対になって、面的に接合止着されるものである。
【００１３】
前記胴帯２における胴帯本体６の裏面側には、前記内巻付け帯７を挿通する環体部材９が設けてある。前記環体部材９は、前記内巻付け帯７の自由端７ａを受け入れて（図３Ａ参照）、リターンさせるものである（図３Ｂ参照）。リターンされた内巻付け帯７は、当該内巻付け帯７自体に設けてある第２の止着手段８Ｂ−１が、自体に設けてある第１の止着手段８Ａに対して面的に接合して止着されるようになっている。前記内巻付け帯７の自由端７ａには、引っ張りのためのループ体１０が設けてある。
【００１４】
一方、前記胴帯２に対して前記飾り帯３を連結するための連結手段４は、塑性変形する剛直なプレート部材１１を内装する飾り帯止部材１２からなっている。前記飾り帯止部材１２は、前記飾り帯３を所望の形態にデザインしたものの飾り帯基部１３を束ねて巻き込む巻込み部１４と、前記胴帯２に差し込まれる差込み部１５とを有するものからなっている。前記剛直なプレート部材１１は、図１において点線で示すような形状であり、前記胴帯２に対して前記飾り帯３を安定した状態で堅牢に連結する。前記胴帯２に対して前記飾り帯３の連結部は、縫着されているものであってもよいし、あるいは着脱自在な差込み構造のものであってもよい。
【００１５】
この考案になる簡易帯１は、以下のようにして着用される。まず、着用者が着用すべき簡易帯１を準備し、着こなした和服の上から腰部にあてがい、前記内巻付け帯７を前記環体部材９に挿通してリターンし、前記内巻付け帯７に設けた第１の止着手段８Ａと第２の止着手段８Ｂ−１とにより止着し、前記胴帯本体６を前記内巻付け帯７の外側に巻き付けて、前記胴帯本体６に設けた第１の止着手段８Ａと前記内巻付け帯に設けた第２の止着手段８Ｂ−２とにより止着して固定するものである。
【図面の簡単な説明】
【００１６】
【図１】図１は、この考案になる簡易帯を示すものであり、図１Ａは、これを帯の表側から見た概略的な表面図であり、図１Ｂは、連結部の概略的な横断面図である。
【図２】図２は、当該簡易帯をその裏側から見た概略的な表面図である。
【図３】図３Ａ、図３Ｂおよび図３Ｃは、当該簡易帯について、その装着の手順を示す概略的な斜視図である。
【符号の説明】
【００１７】
１  簡易帯
２  胴帯
３  飾り帯
４  連結手段
５  連結部分
６  胴帯本体
７  内巻付け帯
８  止着手段
８Ａ  第１の止着手段
８Ｂ−１  ８Ｂ−２  第２の止着手段
９  環体部材
１０  引っ張りループ体
１１  剛直なプレート部材
１２  飾り帯止部材
１３  飾り帯基部
１４  巻込み部
１５  差込み部
【図１】
0003129691.tif 000003
【図２】
0003129691.tif 000004
【図３】
0003129691.tif 000005